(57)【特許請求の範囲】
【請求項１】
医療用先鋭物及び廃棄物を受け取り保管するための容器本体（１１）を備え、該容器本体（１１）は開口と、該開口を閉じるため、開位置及び閉位置の間で運動可能に前記容器本体（１１）にヒンジ（２５）式に取り付けられる蓋体（２４）とを有する容器（１０）において、
前記開口のところに装着される枢回廃棄手段であって、前記蓋体（２４）及び前記枢回廃棄手段が機能的関連（２６−５２−５３、２７−５２−５３）を有し、前記枢回廃棄手段が、作動状態を備え、該作動状態で、その上に置かれるべき医療用先鋭物及び廃棄物にとってアクセス可能であり、該枢回廃棄手段は、そこから前記容器本体（１１）内に前記医療用先鋭物及び廃棄物を廃棄するため枢軸的に運動可能である枢回廃棄手段とを備え、
該枢回廃棄手段は、前記開位置にある前記蓋体（２４）と前記容器本体（１１）とに対して、該枢回廃棄手段の枢軸線回りの全位置について前記容器本体（１１）内への手によるアクセスを阻止するように配列されており、
前記蓋体（２４）及び前記枢回廃棄手段の機能的関連（２６−５２−５３、２７−５２−５３）は、該蓋体（２４）の前記閉位置から前記開位置への移動により前記枢回廃棄手段を不作動状態から作動状態に移動させるような機能的関連であり、前記医療用先鋭物及び前記廃棄物を前記枢回廃棄手段から前記容器本体（１１）へ廃棄するにあたり、前記枢回廃棄手段の枢回動作が前記蓋体（２４）と独立していることを特徴とする容器。
【請求項２】
前記枢回廃棄手段はトレー（１６）であり、該トレー（１６）は、前記蓋体（２４）の前記開位置については、その上に置かれるべき医療用先鋭物及び廃棄物にとってアクセス可能な静止位置に戻るよう偏倚されている請求項１に記載の容器。
【請求項３】
前記容器本体（１１）と関連したガード（３５）を含み、前記廃棄手段は、同廃棄手段が枢回するときに、その前側縁部（２２）が開いた前記蓋体（２４）に向かって移動すると共に、その後側縁部（２３）が前記ガード（３５）の直ぐ近傍に移動するように配列されており、前記後側縁部（１６）は、前記前側縁部（２２）が前記蓋体（２４）の最も近くにあるときに、前記廃棄手段から前記容器本体（１１）内への医療用先鋭物及び廃棄物の廃棄のために、前記ガード（３５）を通過しており、また、前記廃棄手段は、前記後側縁部（２３）と前記ガード（３５）との間における廃棄用物体の堆積によって前記容器本体（１１）が実質的に満杯であるときに、アクセス可能な位置への戻りを阻止されている請求項１又は２に記載の容器。
【請求項４】
前記枢回廃棄手段はトレー（１６）であり、該トレー（１６）は、前記作動状態において、その廃棄位置から静止位置に戻るよう偏倚されている請求項１に記載の容器。
【請求項５】
前記静止位置にある前記トレー（１６）は、該トレー（１６）にアクセスしてその上に置かれる先鋭物体の滑動を容易にするように前記容器本体（１１）の内部に向かって傾斜しており、以って前記トレー（１６）がその静止位置から廃棄位置に枢回するのを促進している請求項４に記載の容器。
【請求項６】
静止位置にある前記トレー（１６）の一部（１７）は、その上への先鋭物及び廃棄物の載置を容易にするため、前記容器本体（１１）を越えて外方へ突出している請求項４又は５に記載の容器。
【請求項７】
前記トレー（１６）は、その不作動状態にあるときに、前記容器（１０）内の保管のため折畳み可能である請求項４，５又は６に記載の容器。
【請求項８】
前記蓋体（２４）は垂下する腕（２６、２７）を含み、前記容器本体（１１）は該腕（２６、２７）に係合する構造（３３、３１）を含み、該構造（３３、３１）及び前記腕（２６、２７）が、前記蓋体（２４）の前記開位置を規定するストッパ装置（２８、３０）を提供し、前記腕（２６、２７）及び前記トレー（１６）が、前記蓋体（２４）及び前記トレー（１６）の前記したように機能的に関係させたカム（５２）及び従動子（５３）を含んでいる請求項４〜７のいずれか１項に記載の容器。
【請求項９】
前記腕（２６、２７）はカム（５２）を含み、前記トレー（１６）は該カム（５２）に係合するピンの形態の従動子（５３）を含んでいる請求項８に記載の容器。
【請求項１０】
前記構造（３３）はガード（３５）を含み、前記トレー（１６）は、同トレー（１６）が枢回するときに、その前側縁部（２２）が開いた前記蓋体（２４）に向かって移動すると共に、その後側縁部（２３）が前記ガード（３５）の直ぐ近傍に移動するように配列されており、前記後側縁部（２３）は、前記前側縁部（２２）が前記蓋体（２４）の最も近くにあるときに、前記トレー（１６）から前記容器本体（１１）内への医療用先鋭物及び廃棄物の廃棄のために前記ガード（３５）を通過している請求項８又は９に記載の容器。
【請求項１１】
前記トレー（１６）は前記構造（３３）に枢軸的に装着されており、該構造（３３）は前記容器本体（１１）に取り外し可能に取り付けられており、前記ストッパ装置（２８、３０）は前記蓋体（２４）がその開位置を越えて移動されるように解放可能であり、前記構造（３３）は前記容器本体（１１）を逆さまにすることによって前記容器（１０）を空にするため、前記開口を露出させるように前記容器本体（１１）に対して可動である請求項８，９又は１０に記載の容器。
【請求項１２】
前記構造（３３）は、前記容器本体（１１）に対する前記蓋体（２４）のヒンジ結合部（２５）に対峙して前記容器本体（１１）の取り外し可能にヒンジ（３４）状に結合されている請求項１１に記載の容器。
【請求項１３】
前記枢回廃棄手段が枢軸的に装着される構造（３３）を含み、該構造（３３）は、前記容器本体（１１）に取り外し自在に取り付けられると共に、前記枢回廃棄手段を前記容器本体（１１）の開口から離れる方に移動させるため前記容器本体（１１）に対して可動であり、前記蓋体（２４）は、前記容器本体（１１）の開口を完全に露出させるために、その開位置を越えて可能であり、以って前記容器本体（１１）を逆さまにすることによって前記容器（１０）を空にすることができる請求項１に記載の容器。
【請求項１４】
前記枢回廃棄手段は折りたたみ可能なトレー（１６）であり、該トレー（１６）は前記蓋体（２４）がその閉位置にあるときに前記容器（１０）内に収容される請求項１３に記載の容器。
【請求項１５】
前記トレー（１６）は、前記蓋体（２４）がその開位置に移動される際に静止位置に移動するように偏倚され、該トレー（１６）は、該静止位置のところで、その上に置かれるべき医療用先鋭物及び廃棄物がアクセス可能である請求項１４に記載の容器。
【請求項１６】
前記トレー（１６）の前記静止位置のところで、その一部が前記容器本体（１１）を越えて外部に突出し、その上への医療用先鋭物及び廃棄物の載置を容易にしている請求項１５に記載の容器。
【請求項１７】
前記トレー（１６）の前記静止位置のところで、該トレー（１６）は前記容器本体（１１）の内部に向かって傾斜していて、その上に置かれた先鋭物体が該トレー（１６）を横断して滑動するのを容易にし、以って前記トレー（１６）がその静止位置から廃棄位置へ枢回するのを促進する請求項１６に記載の容器。
【請求項１８】
前記容器本体（１１）及び前記蓋体（２４）は前記閉位置にある前記蓋体（２４）を前記容器本体（１１）にロックするため相互に係合可能なロック要素（３８、４９）を含む請求項１〜１７のいずれか１項に記載の容器。
【請求項１９】
前記ロック要素（３８、４９）は２つのロック位置を画定し、その内の第１のものは容易に解放可能であり、第２のものは容易に解放可能ではなく、前記第１のロック位置は前記容器（１０）が満杯ではないときに使用するためであり、前記第２のロック位置は前記容器（１０）が満杯であるときに使用するためである請求項１８に記載の容器。
【請求項２０】
前記第２のロック位置は工具の使用により解除しうる請求項２０に記載の容器。
【請求項２１】
前記枢回廃棄手段が、トレー（１６）であり、該トレー（１６）の作動状態で、少なくともその前側の部分（１７）がその上に置かれるべき医療用先鋭物及び廃棄物にとってアクセス可能であり、前記トレー（１６）が枢回可能であり、前記医療用先鋭物及び前記廃棄物を前記トレー（１６）の後側の部分（１８）から前記容器本体（１１）へ廃棄可能とし、これによって前記トレー（１６）の前記前側の部分（１７）が前記蓋体（２４）に向かって移動し、前記容器本体（１１）内への手によるアクセスを継続して阻止するようにした請求項１に記載の容器。
【請求項２２】
前記蓋体（２４）の前記開位置が、前記蓋体（２４）と前記容器本体（１１）との間のストッパ装置（２８、３０）によって規定され、開かれる前記蓋体（２４）が前記開位置を超えると前記容器本体（１１）から前記蓋体（２４）が開かれ、前記枢回廃棄手段が枢軸的に装着されていることによって、容器本体（１１）の開口から前記枢回廃棄手段を手動によって取りはずすことを可能とし、
前記蓋体（２４）がその開位置を超えて開くことができ、前記枢回廃棄手段を、前記容器本体（１１）の開口から取りはずすことができ、前記容器本体（１１）を空にすることを容易にしている請求項１に記載の容器。
【発明の詳細な説明】
【０００１】
＜技術分野＞
本発明は、針，注射器及び外科用ナイフ等並びに関連医療廃棄物及びその他の廃棄物のような医療用及び病院用先鋭物の廃棄の際に使用する容器に関するものである。特に、本発明は、医学診療所及び病院等に設置するのに適する安心して再使用可能な先鋭物用容器に関し、該容器中に、医療用先鋭物及び廃棄物を入れて、それらを適切な設備で後から廃棄もしくは破壊するまでその目的で保管しておくことができる。
【０００２】
＜背景＞
病院及び医学診療所は、清潔にしたり再使用したりというよりはむしろ廃棄される多数の先鋭物体を使用している。一般に、先鋭物体や廃棄物をその廃棄処分まで保管するため該先鋭物体や廃棄物を入れておく安心な容器を用意しておくことが望ましく、そしてしばしば必要である。これらの容器は、使用済み注射器等の盗難を防ぐ安全を提供して、該注射器等が適切な滅菌をせずにそれらを使用しがちな静脈内薬物常用者等の手に渡るのを防止している。また、かかる容器は、先鋭物を容器内に入れるときに病院のスタッフや患者を該先鋭物と接触する危険にさらすことなく安全に保管するようにも、設計されている。さもないと、針が刺さって負傷したり、感染症が転移する可能性がある。
先鋭物用容器は既知であって、その例は次の明細書、US 4,715,498、US 5,103,997、US 5,178,322及び EP 90313126.6 に示されており、これらは全て使い捨て容器を開示している。再使用可能な容器も例えばUS 5,413,243 に示されているように既知である。使い捨て容器及び再使用可能な容器の一般的な問題は、大きな出入口もしくはアクセス開口を有していると同時に、容器内へのハンドアクセスの防止を確実にする容器を提供することが難しいことである。
【０００３】
＜発明の開示＞
本発明の目的は、使い捨て可能かあるいは再使用可能な先鋭物用容器であって、該容器内へのアクセスに対して高レベルの安全性を有する先鋭物用容器を提供することである。副次的な目的は、容器の具体化を見込んで大きなアクセス開口を有する再使用可能な先鋭物用容器構造を提供することである。
【０００４】
本発明によると、医療用先鋭物及び廃棄物を受け取り保管するための容器本体を備え、該容器本体は開口と、該開口を閉じるため、開位置及び閉位置の間で運動可能に前記容器本体にヒンジ式に取り付けられる蓋体とを有する容器において、前記開口のところに装着される枢回廃棄手段であって、前記蓋体及び前記枢回廃棄手段が機能的関連を有し、前記枢回廃棄手段が、作動状態を備え、該作動状態で、その上に置かれるべき医療用先鋭物及び廃棄物にとってアクセス可能であり、該枢回廃棄手段は、そこから前記容器本体内に前記医療用先鋭物及び廃棄物を廃棄するため枢軸的に運動可能である枢回廃棄手段とを備え、
該枢回廃棄手段は、前記開位置にある前記蓋体と前記容器本体とに対して、該枢回廃棄手段の枢軸線回りの全位置について前記容器本体内への手によるアクセスを阻止するように配列されており、前記蓋体及び前記枢回廃棄手段の機能的関連は、該蓋体の前記閉位置から前記開位置への移動により前記枢回廃棄手段を不作動状態から作動状態に移動させるような機能的関連であり、前記医療用先鋭物及び前記廃棄物を前記枢回廃棄手段から前記容器本体へ廃棄するにあたり、前記枢回廃棄手段の枢回動作が前記蓋体と独立していることを特徴とする容器が提供される。
【０００５】
好ましくは、廃棄手段はトレーであり、該トレーは、蓋体の開位置について、その上に置かれるべき医療用先鋭物及び廃棄物にとってアクセス可能な静止位置に戻るよう偏倚されている。この静止位置で、トレーの前側縁部は容器本体の開口の前側縁部近くに位置しうる。蓋体は、容器本体の前側縁部とは反対側の後側縁部に枢軸的にヒンジ付けされている。この構造では、トレーの枢回の際に、その前側縁部が開いた蓋体に向かって移動し、後側縁部は移動して容器本体の中に入る。このように構成すると、容器本体内へ医療用先鋭物及び廃棄物を廃棄するための幅広いアクセス開口が容易に提供されるので、トレーは、先鋭物及び廃棄物が置かれる広い表面を与えることができる。この表面は、開位置にある蓋体、特にその前側縁部から、蓋体が容器本体に対して開く度合いに依存して、比較的に大きく離間しうる。好ましくは、蓋体はその開位置にある場合、典型的には容器本体の頂部である容器本体開口に対して少なくとも約４０°の角度で延びている。
【０００６】
したがって、蓋体とトレーとは、それらの間に間隙が存在し、該間隙が十分に広くて、後からの容器本体内への廃棄のために先鋭物体をトレー上に容易に置くことができるように、配列されている。このように配列したため、先鋭物体をトレー上に置いた際の該トレーの枢回運動によって間隙が縮小されるので、容器本体の内部が露出される廃棄位置にトレーが回転するとき、蓋体及びトレー間の間隙の縮小により上記内部へのアクセスが制限される。即ち、トレーあるいはその一部が蓋体に向かう方向に枢回し、そして両者間の間隙の減少が十分になると、使用者が手を間隙に通して容器本体内へアクセスを得ることが防止される。好ましいのは、トレーが蓋体に向かって枢回するに連れて、間隙が連続して減少することであり、また、先鋭物体をトレーから容器本体内へ廃棄する個所で間隙が実質的に無くなるか、あるいは少なくとも最小化されることが好ましく、これにより先鋭物を廃棄する人間の指が間隙を通過することが防止あるいは効果的に阻止される。間隙が所望の量まで減少する程度にトレーが枢回した際にのみ、先鋭物をトレーから容器本体内に廃棄しうることが好ましい。
【０００７】
上述したように、トレー及び蓋体の双方が容器本体内へのアクセスを制限するように配列されているが、容器を使用している最中に、容器本体内へのアクセスを防止するため、追加のあるいは代わりの手段を設けることができる。かかる手段にはガードあるいはシールドがあり、これらは、容器の種々の部分間に存在する間隙をブロックするように配置することができ、特にかかる間隙はトレーの枢回運動中に表われうる。ある配列の場合、トレーの進路移動中に、その縁部が容器本体の内壁のような容器の他の表面から遠ざかる方向に離れることがあるので、これらの個所で容器本体内へのアクセスが行われるかも知れない。例えば、間隙は、先鋭物体を廃棄するためのトレーの枢回運動前にあるいは運動中に、トレーの端部あるいは側部と隣接する容器本体壁との間に存在する可能性がある。したがって、例えばトレーの端部あるいは各端部の近くにガードを採用することができ、このガードは端部の進路に合う輪郭を有するので、トレーが静止中でも回転中でも、容器本体内へのアクセスを可能にする望ましくない間隙が生ずることはない。
【０００８】
上述した構成においては、先鋭物体の廃棄の間中、蓋体は概ね静止した開位置に保持されているが、それに代わる構成では、上述した理由で蓋体及びトレー間の間隙を減少させるため、蓋体がトレーと共に枢回されてもよい。
【０００９】
好ましくは、トレーは、容器内に収容のため及び容器の閉止を容易にするため、あるいは容器を閉じたときのスペースを節約する手段として、必要に応じて折り重ね状態に畳むことが可能である。折り畳み可能なトレーは幾つかの利点を提供する。１つの利点は、容器の使用者にとってトレー上に先鋭物体を簡単に置くのに都合がよい大きさで、折り重ねられていない状態のトレーを提供できることである。トレーが折り畳み可能でなかったとしたら、その状態では、容器を閉鎖することは不便であるかあるいは困難であろう。更に、折り畳み可能なトレーを提供することによって、比較的に大きく且つ容易にアクセスできるトレーを採用することが可能となり、折り畳み可能な性質により、このトレーは、特に容器が閉塞されたときに、容器全体の嵩を不必要に増大させることがない。好ましくは、このトレーは、容器本体の上方部分内に、あるいは容器を閉塞するために設けられた蓋体内に、あるいはどちらかの中に部分的に収容される。折り畳み可能なトレーを提供することによって、容器における上述したようなスペース内へのトレーの収容が容易になり、また、廃棄先鋭物体をさもなければ収容できるかも知れない容器内のスペースにトレーを置かなければならないという要求により発生する先鋭物体保管スペースの減少を最小にすることができる。
【００１０】
枢回廃棄手段は、トレーの形態であってもなくても、その上への先鋭物体の載置を容易にするため、静止位置において、容器外に延びていることが好ましい。
好適には、蓋体及び枢回廃棄手段は、該蓋体の閉位置から開位置への移動により廃棄手段を不作動状態から作動状態に移動させるような機能的関連を有し、該作動状態において、廃棄手段はその上に置かれるべき医療用先鋭物及び廃棄物にとってアクセス可能である。本発明のこの実施形態において、枢回廃棄手段は上述したようなトレーでよく、そして蓋体は垂下する腕を含み、容器本体は該腕に係合する構造を含み、該構造及び腕が、蓋体に対して開位置を規定するストッパ装置を提供する。トレー及び蓋体の機能的関連は任意の適当な形態を取り得るが、好ましいのは、カム及び従動子構造によって提供されることであり、腕はカム軌道を含んでいてよく、トレーは該カム軌道に係合するピンの形態の従動子を含んでいてよい。ピンはトレーの縁部のような適当な部分に配置することができ、そしてカム及び従動子間の係合は永続的であっても、あるいは開位置及び閉位置間の蓋体移動中の一部の間だけで生じていてもよい。他の代替的な構成としては、ストラットのリンク機構や、蓋体の運動によりトレーに偏倚力を作用させる偏倚装置や、上述の組合せ等を使用しうる。
【００１１】
この実施形態においては、トレーは折り畳み可能なように形成することもでき、そして蓋体を閉めるときに必要に応じて折り重ねるように配列できる。例えば、このトレーは、蓋体を閉じるときに折り重なり、蓋体を開くときに展開される、即ち広げられるように配列することができる。あるいは、トレーは、蓋体とは別個に折り畳んでもよく、その場合、折り畳みは、蓋体の閉塞前に又は閉塞中に手動で着手又は操作される別個の動作又は機構の結果として起こる。
【００１２】
本発明は、容器の蓋体を閉じる毎にトレーを折り畳まない状況を予想しており、用語"折り畳み可能"は、このような状況を踏まえてトレーに関して使用されている。即ち、トレーの折り畳みは、あるレベル以上に容器に先鋭物体が充填されるときにのみ起こる。このレベルでは、トレーを広げられた状態で収容するには十分なスペースが容器内になくなる。本発明の１つの形態においては、トレーの折り畳み可能な部分が容器本体内の上位にある先鋭物及び廃棄物と係合する際にのみ、トレーが折り重なる。本発明のこの形態においては、トレーの折り重なる程度は容器本体における先鋭物及び廃棄物の高さに依存する。トレーと先鋭物体の係合は、容器が満杯であるか、あるいは全容量に近いかを示す指示器として作用している。有利なのは、トレー自体が約１８０°にわたり折り重なるように配列できることであり、また、トレーが折り重なった状態で容器本体の内部に延びて入る程度を最少にするために、容器本体の開口を横断してその深さに対して実質的に横方向に延びるように配列できることである。しかし、容器本体が実質的に満杯でなければ、１８０°にわたるトレーの完全な折り畳みは必ずしも必要ではないことが分かる。
【００１３】
蓋体を完全に閉じた後の容器内におけるトレーの姿勢は、容器本体内に廃棄できる先鋭物体の量を実質的に減少させないことが好ましい。したがって、トレーは、容器本体内へのその突入量を無視できるか、あるいは最小にできるような方法で入れられるのが好ましい。このようにして、トレーは容器本体内に廃棄された先鋭物体の上に重ねられる。これは、トレーが折り畳み可能であれば特に好ましい。別案として、トレーが容器本体内の先鋭物あるいは廃棄物の中に突入していてもよいが、この後者の配列は、先鋭物体あるいは廃棄物は一般にこの突入に抵抗するかあるいは突入の障害になるので、好ましくはない。しかし、先鋭物体あるいは廃棄物の性質によっては、突入に対する抵抗が蓋体の閉止を邪魔するのに不十分であるようなら、差し支えない。
【００１４】
更なる構成においては、トレーの移動を例えば容器本体内に形成されたポケット内までとしうる。ポケット内に先鋭物体は充填されない。更に別の構成においては、蓋体は、閉位置にあるトレーの少なくとも一部を収容できる。上述の記載から了解されるように、トレーを容器内に収容するために種々の選択が提供される。
【００１５】
枢回廃棄手段は、その上への先鋭物体の載置によって該枢回廃棄手段が先鋭物体を容器本体内に廃棄できる位置に枢回運動するように、装着されるのが好ましい。更に、枢回廃棄手段は、先鋭物体を廃棄するための枢回運動に続いて静止位置へ戻ることが好ましい。廃棄位置への廃棄手段の枢回運動は、その上に置かれた先鋭物体の重量を受けて生ずるようにされている。あるいは、同様に別の構成を使って枢回運動を生じさせてもよいが、容器の使用者が例えば手による圧力で廃棄手段を押して枢回させてもよい。最初に記載した構成が好ましいが、その理由は、枢回廃棄手段に対して不均衡構造が与えられているので、僅かな荷重だけで枢回運動を生じさせられるからである。この構成では、容器本体内への先鋭物体の廃棄後、枢回廃棄手段は不均衡の影響下にその静止位置に戻る。枢回廃棄手段の戻りの枢回運動を制限してその静止位置を画定するために接触支持部を設けることができる。容器本体開口の縁部がかかる接触支持部を提供することができる。
【００１６】
トレーである枢回廃棄手段に関しては、静止位置にあるこのトレーは、容器本体の開口に向かってあるいは容器本体に入るように傾斜していることが好ましい。そうすると、該トレーの上に置かれた先鋭物体は、該トレーを横断してより下方にあるその後側縁部に向かって滑動し、該後側縁部から容器本体内に廃棄される。上述した不均衡構造において、トレーの傾斜が好ましいのは、より下方の縁部に向かう先鋭物体の滑動が廃棄位置に向かうトレーの枢回運動を促進し、その後、トレーがその不均衡の影響下に静止位置に戻るからである。しかし、トレーを枢回させるのに代替手段が採用されれば、トレーの戻りの運動は偏倚手段のような任意の適当な手段によって生じさせることができる。
【００１７】
本発明の利点は、例えばトレーである枢回廃棄手段を容器の開状態において使用に供される方法にある。有利なのは、トレーの前側部分が容器本体の前側壁もしくは前側面を越えて、且つ好ましくは容器の蓋体も越えて延びていることである。このように容器本体及び蓋体を越えるトレーの突出により、容器本体又は蓋体から妨害を受けることなくトレーの上に先鋭物体を載置することが容易になる。
【００１８】
容器は、枢回廃棄手段が枢着される構造を含んでいることが好ましく、そしてこの構造は、容器本体に取外し可能に装着されると共に、枢回廃棄手段を容器本体の開口から遠ざかるように移動させるために該容器本体に対して可動である。この実施形態において、蓋体は、容器本体の開口を完全に開放するために、その開位置を越えて可動であることが好ましい。したがって、蓋体及び枢回廃棄手段は、容器本体に対して順に運動して、その開口を遮るもののないようにするので、単に容器本体を逆さまにすることによって容器の内容物を空にすることができる。好ましいのは、この構造が、容器本体に対する蓋体のヒンジ結合部の反対側で、容器本体にヒンジ付けされることである。このような結合は、医療用先鋭物及び廃棄物の破壊設備での容器の自動化された取扱いを容易にするが、それは、蓋体及びトレーが、容器本体に取り付けられたまま、開口に対して遮るもののない位置に自動的に移動できるからであり、その後、容器本体を自動的に逆さまにしてその先鋭物及び汚染廃棄物を空にすることができる。したがって、本発明は、作業者が破壊設備で容器を取り扱う必要性がもし排除されなくても最小にされる点で、高い安全性をもって医療用先鋭物及び廃棄物を廃棄することを可能にする。
【００１９】
この実施形態において、枢回廃棄手段はトレーであって、該トレーは静止位置に偏倚されており、折り畳み可能であり、容器本体の内方に傾斜しており、そしてこの静止位置において、本発明の他の実施形態に関して前述したように、容器本体を越えて延びていることが好ましい。枢回廃棄手段あるいはトレーが枢着される構造は、前述したように、蓋体の開位置を規定するための解除可能なストッパ構造を、蓋体の垂下腕と関連して提供しうる。更に、この構造は、枢回廃棄手段が枢回しているときに該枢回廃棄手段の後側縁部に直ぐ隣接して横たわるガードを含むことができ、その配列は、枢回廃棄手段の前側縁部が蓋体に最も近いときに、該枢回廃棄手段の後側縁部が同枢回廃棄手段から容器本体内への医療用先鋭物及び廃棄物の廃棄のためガードを越えるようになっている。このガード構造は、容器本体内への手によるアクセスを防止するために特に有効である。
【００２０】
前述したような手によるアクセスの防止は、先鋭物体を廃棄するためにこの容器を使用している人や、この容器に接触することになるその他の人たちが手を、あるいは手の一部を容器本体の保管部の中に延ばし入れることができないことを意味している。これは容器を先鋭物体に対する特に安全な保管設備とするので、かかる先鋭物体との人の接触を防止することにより、障害あるいは感染症の転移を実質的に回避することができる。
【００２１】
容器本体の保管部は、容器本体体積の相当な部分からなるのが好ましく、また、枢回廃棄手段が開口内にあるいは開口を横断して配置される配列において、該開口に隣接する部分を除く容器本体の全体積を含むことが好ましい。
【００２２】
先鋭物用容器は、許可されていないような者による、あるいは容器が満杯であるときに、その中への物体の廃棄を防止するために、また、容器を先鋭物の処分もしくは破壊設備に運搬すべきときに、該容器を確実に閉じるために、ロック可能であることが好ましい。ロック装置は任意の適当な形態を取ることができるが、２つのロック位置を利用できる装置が工夫された。第１のロック位置は、容易に解除しうる点で専ら一時的である。これは、ロックを外すことにより蓋体を容易に再び開くことを可能にする。このロック位置は、その時に容器を使用すべきでないことを指示するために採用しうる。容器が使用に適しているときには、ロックは、第１のロック位置からアンロック位置へ容易に移動させることができる。また、第１のロック位置は、空にされた容器を充填のため病院あるいは診療所に戻している最中にも使用できる。第２のロック位置はもっと永続的である、即ち、相互に係合可能なロック要素は容易に解除できない。これは、例えば適切なキーなしに、あるいはロックをアンロックすることとの組合せなしに容器を開けることを確実に防止すると共に、容器が充填され先鋭物破壊設備まで搬送すべきときに相応しいように、確実に容器を使用できなくする。
【００２３】
本発明の実施形態を添付図面に関連して制限的ではなく例示のために以下に説明する。
【００２４】
＜図面の簡単な説明＞
図１は、本発明による医療用先鋭物その他の廃棄物用容器の好適な実施例の斜視図であり、その蓋体を開位置にして示している。
図２は、図１の容器の内容物を空にするための全開位置を示す別の斜視図である。
図３は、図１における蓋体の垂下アームを部分的に示しており、蓋体の開位置を限定するためのストッパ装置を図解している。
図４及び図５は、図１の容器におけるトレーの枢回運動を図解するため一部断面にした部分側面図である。
図６及び図７は、図１における容器の蓋体の揺動装置を示している。
図８及び図９は、折畳み可能なトレーの動作と、図１における蓋体との関連とを図解している。
図１０は、図１の容器と共に使用する工具を示している。
図１１及び図１２は、壁体への容器の装着に備えるための図１の容器における諸部分を示している。
図１３は、図１の容器を装着しうる壁側ブラケットを示している。
【００２５】
＜好適な実施例の詳細な説明＞
再使用可能な先鋭物用容器１０は、図１に示すように、横断面がほぼ矩形の容器本体１１を有し、前壁１２及び側壁１３が目視できる。該容器本体１１は、底部１４で閉じていると共に、リム１５を含む頂部で開口している。容器本体１１は、リム付きの開口と底部１４との間に、医療用先鋭物及び廃棄物を保管するための保管部を画成している。容器本体１１はその頂部１５から底部１４へと若干のテーパが付いており、これは、1つの容器本体を別のものの中に入れて容器本体を積み重ねるのを容易にする。
【００２６】
トレー１６の形態の枢回廃棄手段は、容器本体１１に対してその開口のところで枢軸線ＡＡ回りに枢回可能に装着されている。トレー１６は、先鋭物又は廃棄物を容器本体１１内に廃棄するために、静止位置である図１に示す位置から時計方向（図１において見て）に枢回できる。トレー１６は、枢軸線ＢＢ回りに枢回可能に互いに接続された２つの部分１７，１８になって形成されている。枢軸線ＢＢは、トレーの相対する側で、２つのトレー部分の一方から延びて該トレー部分の他方に形成された開口の中に入るピンにより形成されている。これは符号７１によって表わされている。２つの部分は別個に形成されており、図１に示した位置においては、これらの２つの部分１７，１８は隣接縁１９に沿って当接している。２つの部分１７，１８を隣接縁１９に沿って当接関係に付勢するために、トレー１６の下側には付勢手段が取り付けられている。かかる位置において、２つの部分１７，１８は平らなトレー面を提供する。付勢手段は、張力がかけられた図４及び図５に示すようなコイルばね７２でよく、該コイルばねの端部は各トレー部分１７，１８の下側に取り付けられている。
【００２７】
トレー１６が枢回する枢軸線ＡＡの位置は、トレー１６がその重量配分により同枢軸線回りに反時計方向に回転しようとするように計画的に設定されているので、トレー１６は、静止状態にあるときには、図１に示す位置に配置される。この位置において、トレー１６は、リム付きの頂部１５と関連するピボット構造（後述する）の上側面２０上に乗っている。したがって、図１に示す静止位置において、トレー１６は、容器本体１１内に廃棄処分のために医療用先鋭物及び廃棄物を置くことができる上側面２１を提供する。
【００２８】
更に、トレー１６は、トレー部分１７の前側縁部及び側方縁部に沿って延びる直立縁部壁２２を含んでいる。この縁部壁２２は、先鋭物体を置く収容領域を画成すると共に、容器本体１１内への廃棄処分のためトレー部分１８の後側縁部２３を越えて落下する以外に該物体がトレー１６から落下するのを防止する。
【００２９】
図１に示すように、トレー１６は、その上側面２１が下方に傾斜して容器本体１１内に面するように、若干傾いた角度で配置されている。この傾斜配置は、図示のように静止位置においてトレー１６が乗る上側面２０よりも若干下方のレベルのところに枢軸線ＡＡを配列することに生ずる。
【００３０】
容器１０は更に、リム１５の後側縁部に沿ってヒンジ結合された蓋体２４の形の閉鎖体を含んでいる。このヒンジ結合は図１には示していないが、図２には見ることができ、符号２５で識別されている。また、蓋体２４はその両側に、垂下する腕部材２６，２７を含んでおり、該腕部材は、図８に断面で示すように、蓋体２４を容器の閉位置に案内するのを助けている。腕部材２６，２７は、別個に形成して、蓋体の内側面にあるクリップ装置（図示せず）によって蓋体２４に取り付けることができる。腕部材２６，２７は弾性的に偏倚されたタブ２８を含んでいる。該タブは、蓋体２４がその開位置（図１に示す）にあるときに上側面２０に対して係合しこの位置にある蓋体２５の下方への移動を停止すべく上側面２０に当接するように、互いに離間する方向に偏倚もしくはバイアスされている。腕部材２６，２７及びタブ２８は上側面２０と協働して、蓋体２４の開位置を規定するストッパ装置を提供する。弾性的にバイアスされたタブ２８は、互いの方向に向かって簡単に押すと上側面２０から離脱して、蓋体２４が図示の開位置から閉位置へ移動するのを可能にする。該タブ２８は、蓋体２４を下向きに押圧することによってタブ２８がカム作用で互いの方に内方に向かい該タブを上側面２０から離脱させるように、上側面２０及びその縁部に関して配列されうる。
【００３１】
先鋭物用容器１０の基本的な動作について以下に説明する。先鋭物用容器１０は、先鋭物及び廃棄物の処分のため、病院又は医学診療所において適当な部屋又はスペースに配置される。例えば、容器１０は、投げ棄てに対して頑丈に構成されていれば、地面上に置くこともできる。あるいは、容器１０を受けるため、適当な台板を用意しておくことができる。好ましいのは、該容器を壁に装着できるようにするための手段を、容器の後側壁に設けておくことである。廃棄すべき先鋭物体がトレー部分１７上に置かれていれば、該先鋭物体はその後、トレー１６の傾斜配置のためにトレー１６の後側縁部２３に向かって滑動しようとするので、先鋭物体の処分は簡単で手頃な運動である。先鋭物体が枢軸線ＡＡを通る際に、トレー１６は、先鋭物体の重量のもとにこの枢軸線回りに時計方向（図１において見て）に回動しようとするから、先鋭物体は、トレー１６の後側壁に向かって移動し続け、最終的には、トレー１６が十分に回動されれば、容器本体１１内に廃棄される。先鋭物体を容器本体１１内に廃棄してしまえば、トレー１６は、枢軸線ＡＡに関するその重量配分によってもたらされるバイアスのもとに、枢回して図１に示すような静止位置に戻る。
【００３２】
この先鋭物用容器１０が好ましい理由は幾つかある。第１に、トレー１６は、その上に先鋭物体を置くための広い表面領域を提供する。また、トレー１６は、リム１５の前側縁部２９よりも若干前方に延びていて（即ち、容器本体よりも外方に突き出る）、蓋体２４の開位置においては、この蓋体から十分に離間しているので、その広い上側面２１へのアクセスが楽になる。
【００３３】
第２に、トレー１６の傾斜によって先鋭物体は後側壁２３に向かって後方へ移動し、該先鋭物体が枢軸線ＡＡを一旦越えてしまえば、トレー１６が回動して先鋭物体を容器本体内に廃棄するので、先鋭物用容器１０の使用者には、先鋭物体をトレーの上側面２１上に単に置くことが要求され、使用者は更に何をする必要もない。しかし、ある状況下では、先鋭物体に最初のトレー部分１７から枢軸線ＡＡを越えるまでの運動をさせるのに十分なほどトレー１６が傾斜していなければ、使用者がトレー１６の回動を助ける必要があるかも知れない。このような事態は、先鋭物体が傾斜したトレー１６に関して滑動しようとする傾向がない場合に起こりうる。かかる物体は、例えば、メスあるいはかみそり刃のように平らなナイフであろう。この場合、使用者は、例えば前側のトレー部分１７の壁２２を押すことによって、トレー１６に回転力を単に与えるだけでよい。
【００３４】
先鋭物用容器１０は図１にその開位置で示されている。即ち、蓋体２４は、弾性的に偏倚したタブ２８が外方へ移動して容器本体に関連した上側面２０に係合し下向き方向の戻り運動を阻止する個所へとある角度で持ち上げられる。図１に示した状態を越えての上側方向への更なる蓋体２４の回転は、図２及び図３に示すように、腕部材２６，２７に設けられた別の１対の弾性的に偏倚されるタブ３０によって防止される。腕部材２６，２７のタブ３０は、上側面２０と関連する各突起部３１の内側面に当接する。したがって、各対の弾性的に偏倚されるタブ２８，３０は、それらが上側面２０及び突起部３１の下側面と係合することによって、蓋体２４を図１に示す開位置に位置決めする。タブ３０及び突起部３１は、蓋体２４の開位置を規定するストッパ装置の更なる要素である。
【００３５】
蓋体２４は、単にこの蓋体２４を下方に押すことにより、弾性的に偏倚されるタブ２８が内方にカム運動して、該タブが上側面２０との係合から外れ、蓋体２４がそのヒンジ結合部２５の回りに回動すのを許容して、図１の開位置から閉位置へ移動することができる。また、蓋体２４は、図１に示すその開位置を越えて枢回することも可能であり、これは、容器１０を空にするために主として必要とされる。蓋体２４に邪魔されることなく容器本体１１の内容物を容易に空にするため、図２に示すように、蓋体２４は開口３２から離れる方向に完全に開くことができる。図１に示した位置から図２に示した位置へと蓋体２４が移動するには、弾性的に偏倚されたタブ３０が突起部３１の内側面との係合状態から変位することが必要である。弾性的に偏倚されたタブ３０の変位は任意の適当な手段によって行うことができ、そして図１において、変位運動を容易にすることができる特別の工具を受け入れるために、各突起部３１の外側壁に開口３７が設けられている。この工具は、容器１０を空にするために設計された自動機械の一部を構成することができ、あるいは手動操作用に提供することができる。該工具は開口３７内に嵌合することができるものであり、開口３７は補完的な形状に作られた関連のキーもしくは工具を受けるための特別な形状のものである。開口３７は、多少かぎ穴の形状を有するように示されているが、関連のキーもしくは工具を受けるのに適する任意の形を有することができる。この構成は、関連のキーもしくは工具を所有していない、権限のない作業者によって、弾性的に偏倚されたタブ３０が動かされるのを防止する。
【００３６】
開口３７が設けられた各突起部３１の側壁は、蓋体２４が図２の空にする位置に移動するのを容易にするためにタブ３０が変位される方向に実質的に垂直に配置されている。タブ３０を変位させるために用意されたキーもしくは工具は、図１０に示す形のものとすることができる。この工具５５は、細長いシャフト５７に取り付けられた操作ビット５６を有する。該ビット５６は開口３７から挿入され、その後シャフト５７が回転されて、ビット５６をタブ３０との変位係合状態にする。工具５５が手動操作可能であれば、ビット５６から遠くにある側のシャフト５７の端部にハンドルもしくは指グリッパを装備することができ、一方、該工具が自動機械の一部であれば、そこに任意の適当な方法で取り付けることができる。
【００３７】
また、容器１０は、蓋体２４のヒンジ結合部２５に対峙するヒンジ結合部３４によって容器本体１１の頂部リム１５に枢軸状に結合されるピボット構造３３（図２参照）を含んでいる。ピボット構造３３は上側面２０及び突起部３１を提供する。このピボット構造３３は、そこに枢着されたトレー１６を含むと共に、弧状のガード部材３５を更に含んでいる。このガード部材は、図１に例示したものにおいては、ピボット構造３３をリム１５上の着座位置にして、トレー１６の後側縁部２３近くにある。このようにヒンジ結合部３４が設けられているので、ピボット構造３３は所望ならば容器本体１１から完全に除去することができる。ピボット構造３３を容器本体１１上にあるその着座位置で該容器本体にラッチするために、該ピボット構造３３は、ヒンジ結合部３４とは反対の側にクリップ（図示せず）も含んでいる。蓋体２４及びピボット構造３３は順に解除され開かれる。即ち、先ず弾性的に偏倚されたタブ３０を変位させ、次いで蓋体２４を図２の全開位置に枢回し、その後、容器本体の開口３２が露出するようにピボット構造３３を全開位置（同様に図２に示す）へ枢回することができる。先鋭物用容器１０の再組立ては逆の方法で行われる。
【００３８】
図２から分かるように、ピボット構造３３は、容器本体の開口３２を全て露出させるように枢回できるので、該構造によって容器本体１１を空にする作業が邪魔されることはない。図示の先鋭物用容器１０は、自動機械によって自動的に空にすることができる点で、特に有用である。この利点は、空にする作業手順が非常に安全な方法で行われない限り、先鋭物用容器を空にする作業を担わされた作業者が障害の危険にさらされるかも知れないことである。例えば、作業者が頂部１５のどちらかの側で容器本体１１を掴むことは、作業者の指が伸びて容器本体１１の中に入り、その中に収容された先鋭物体に作業者がふれ、前述したように針が刺さるというような障害の可能性を伴うので、受け容れ難い。機械を採用して、閉じた容器を図２に示すように自動的に開いて逆さまにし、同機械の操作者に対して何らのリスクなしに、内容物を放出しうると考えられる。
【００３９】
ピボット構造３３のガード部材３５の曲りは、トレー１６の後側縁部２３の湾曲軌跡と実質的に同一であり、そしてガード部材３５は、トレー１６の枢回運動中に容器本体１１内にアクセスするのを防ぐように、トレー１６が枢回するときに後側縁部２３の後方に隙間が形成するのを防止するのに役立つ。上述した構造は、図１の静止位置から廃棄位置へのトレー１６の枢回運動を示す図４及び図５にもっと良く示されている。これらの図において、ピボット構造３３は、弧状のガード部材３５と同様の方法で作用してトレー１６の枢回運動中の隙間形成を防止する前側ガード部材３６を含んでいることが分かる。このガード部材３６はトレー１６の真下と前側面１２との間に隙間が形成されるのを防止する。
【００４０】
図４に示すように、開位置において蓋体２４とトレー１６との間にある隙間"Ｇ"は、先鋭物体をトレー１６上に容易に置くのに十分である。しかし、この隙間Ｇは使用者の手及び腕を容器内に入れるのに十分であり、したがって、処分された先鋭物及び廃棄物が容器本体内にあるかも知れないときに該容器本体内にアクセスするのを防止するための手段が設けられていることが必要である。ガード部材３５はこのような手段を提供する。図４の構造において、容器本体１１の後壁１２ａとの間のスペースは狭いが、このスペース内にガード部材３５の一部が配置されるので、該ガード部材はトレー１６の後側縁部２３の軌跡の直ぐ近くにある。したがって、トレー１６の回転の際に、後側縁部２３と後壁１２ａとの間の間隙は大きくなるが、ガード部材３５がこの間隙をブロックすることにより容器本体内へのアクセスを防止する。
【００４１】
トレー１６から容器本体内へ先鋭物体及び廃棄物を実際に廃棄するために開口が必要であるから、ガイド部材３５の大きさには制限がある。廃棄開口Ｄは図５に示されている。この廃棄位置において、間隙"G"は縮小して、使用者の手又は腕を挿通するには十分でないもっと小さな間隙"g"となり、したがって、開口Ｄを介する容器本体１１内へのアクセスが防止される。
【００４２】
したがって、図４に示すように、容器１０は、蓋体２４が容器本体１１に関して開かれている度合いに依存する、寸法Ｇで表わされているような大きなアクセス開口を有すると同時に、容器本体１１内への手によるアクセスを確実に防止する。この開位置においては、蓋体２４は、容器本体の上側リム面に対して約４０°あるいはもっと大きな角度で延びている。本発明によって、先行技術の先鋭物用容器が代表的に５０ｍｍ程度の開口を有するのに対して、例えば８０ｍｍ程度のアクセス開口Ｇを実現することが可能になる。本発明により可能とされたかかる大きなアクセス開口並びに例えば３００ｍｍという幅寸法のトレー１６を提供することにより、例えば測定用静脈内"ギビングセット"(metering intravenous "giving set")のような比較的に大きな医療用先鋭物及び廃棄物を容器内に廃棄することが可能になる。更に、大きなアクセス開口は、先鋭物を使用直後に置くことができる例えばインゲンマメ形の皿のようなトレー１６から直接に使用者が容器１０内に先鋭物を廃棄することを可能にする。即ち、かかる皿は容器１０まで単に運ばれ、そこから先鋭物を揺動トレー１６上に移すように扱うことにより、先鋭物をインゲンマメ形の皿上に置いた後に先鋭物を実際に取り扱うことが回避される。
【００４３】
先鋭物用容器１０は、蓋体２４を容器本体１１に対する閉位置にロックするためのロック手段を含んでいる。該ロック手段は図１にスライド式ロック装置３８の形で図示されているが、詳細には図６及び図７に示されている。スライド式ロック装置３８は容器１０の両側にある。各スライド式ロック装置３８は、脚部４１と脚部４２により蓋体２４に永続的に取り付けられる滑動部材３９を含んでいる。脚部４１は蓋体２４にあるチャンネル４０（図１）の中に延びて入り、別の脚部４２は蓋体２４から垂下する平板状部材４３周りに延びている。脚部４２から延びているのは弾性ラッチ部材４４である。該ラッチ部材４４は、脚部４２と一体的に形成されており、係合端部４５を有する。この端部４５は、複数の突起部４７及び端にある突起部４８を備えたラック４６に係合できるように配列されている。図６及び図７に示すように、突起部４７は、傾斜側面を有するほぼ三角形状であり、その最初の突起部４７ａは他のものより大きく、そして突起部４８は、蓋体のリムの下面から実質的に垂直に延びる側面を有している。端部４５は突起部４７及び突起部４８に係合するように配列されていて、一時的にあるいは永続的に蓋体２４を容器本体１１にロックする。ロック装置３８の機構について次に記載する。
【００４４】
図６を先ず参照すると、滑動部材３９は、端部４５を傾斜突起部４７間に係合させて示されている。この位置における端部４５の係合は、図６において左側に向かう方向に滑動部材３９が滑り運動することによって達成されてしまっている。この左方向の運動で、ラッチ部材４４が弾性的に撓んで、端部４５が最も右側の突起部４７ａ上に乗るのを可能とし、突起部４７に沿って留まるようになる。この位置において、滑動部材３９は、容器本体１１のリム１５にある切欠きの端部４９にかぶさって係合し、したがって、蓋体２４は、この係合によりＲ方向に回転し内容に保持され、閉状態にラッチされる。しかし、傾斜突起部４７は端部４５がその上を滑動するのを許容しており、滑動部材３９を端部４９から離脱させるようになっているので、滑動部材３９は右側へ移動できる。図６に示す滑動部材３９のラッチ位置においては、容器蓋体２４は開くのを阻止されているが、滑動部材３９を右側へ移動させれば、誰でも蓋体２４を開くことができるようになっている。したがって、この位置においては、滑動部材は蓋体２４をラッチして閉じるが、該蓋体をロックもしくは固定して再開放を阻止しているのではない。
【００４５】
図７において、滑動部材３９は左側に移動してしまっているので、ラッチ部材４４の端部４５は突起部４８を越えて移動されている。この左方向への運動は、端部４５が傾斜して突起部４７及び垂直の突起部４８を乗り越えることにより容易にされる。右側への滑動部材３９の運動はもはや阻止されている。その理由は、端部４５の直立縁部５０が垂直縁部４８に対して実質的に直角に当接するため、端部４５が当接する突起部４８を乗り越えられないからである。滑動部材３９のこの位置においては、蓋体２４は容器本体１１に永続的にロックされており、蓋体２４の開放は可能ではない。容器１０は、この状態で空にするための設備まで運搬される。滑動部材３９の解放は、別の特別な工具によって行われる。即ち、この工具を滑動部材３９に挿入してラッチ部材４４を押し下げると、端部４５が垂直突起部４８との係合から解放される。この目的のため任意の他の工具を提供することができる。
【００４６】
図６及び図７において、容器本体１１のリム１５には傾斜したランプ部５１が設けられていることに留意されたい。該ランプ部５１は切欠きの端部４９から離れる方へテーパが付いている。このランプ部５１の目的は、滑動部材３９が永続的なロック位置へ滑って入るときに、蓋体２４を容器本体１１に対して確り閉じることである。ランプ部５１によって、滑動部材３９は徐々に増加する力を作用させるので、容器の内容物はその中に確保される。図７において、端部４５は垂直突起部４８を越えて位置決めされているが、滑動部材が更に左へ滑動して、該滑動部材３９がランプ部５１を更に漸次せり上がり、より大きな閉止力を蓋体２４及び容器本体１１間に作用させることが可能である。
【００４７】
蓋体２４を動かしながらトレー１６を閉位置に折りたたんだ状態は図面の図８に示されている。この図において、トレー部分１７が上に折りたたまれて容器１０内で蓋体２４近くに配置されていることが分かる。他のトレー部分１８はトレー部分１７に対してある角度で配置されている。この角度は、ある程度、容器内の先鋭物体のレベルによって指示される。図８の構成は、容器が閉じているときにはトレー１６が容器１０内で不作動状態に完全に保持され、容器を空にする設備までこの状態で運搬することができる。したがって、トレーを容器から分離することが不要であるから、トレーの紛失が起こる見込みはない。
【００４８】
トレー１６は、図８に示された位置へ、腕部材２６，２７の内側でトレー部分１７の縁部壁２２の側縁上に配置されるカム・従動子装置によって回転される。カム装置は、種々の図に見ることができるようなカム軌道とすることができ、図８においては符号５２によって明示されている。カム従動子は、図９に点線のアウトラインで示されているようにカム軌道５２に嵌るピンでよく、これは符号５３で明示されている。各カム従動子５３はトレー部分１７に固定されている。このようにカム５２及びカム従動子５３を配列したので、蓋体２４が図９の開位置から図８の閉位置へ動かされるときに、カム従動子５３がカム５２内に係合すると共に、トレー部分１７を図８に示す位置へ回転させる。トレー部分１８は、トレー部分１７に対して枢回するまで該トレー部分１７と一緒に動くが、このような枢回は、トレー部分１８がトレー部分１７と共に更に運動するのを阻止される時点に依存して最終的に起こりうる。即ち、トレー部分１８の最終的な配備はカム及び従動子装置によって完全に決定できるわけではない。図９に示すように、トレー部分１８の位置はある程度、容器本体１１内に収容されている先鋭物体の量に依存しており、そして容器本体１１が詰まっているときには、蓋体２４の閉位置におけるトレー部分１８は先鋭物体の頂部上に位置を占めるであろう。しかし，容器が詰まっておらず、前側壁１２上へのあるいはその近傍へのトレー部分１８の運動を阻止する先鋭物体がなければ、トレー部分１８はその位置に静止する。
【００４９】
蓋体２４を開く際、カム及び従動子装置５２，５３は、トレー１６を不作動位置から作動位置へ動かすように動作する。そして作動位置においては、トレー１６は、その不均衡なバイアス下で通常の静止位置（図１参照）に移動する。図８及び図９のカム及び従動子装置５２，５３は概略的に細部が示されているだけである。この装置は種々の形態をとりうるから、特定の外形形状は重要でない。しかし、図示の実施形態については、蓋体２４の閉運動中、トレー１６の下面は前側のガード部材３６の直ぐ近くに留まっていて、トレー１６の下面からの容器本体内への手によるアクセスを防止していることに留意すべきである。
【００５０】
蓋体２４の閉位置においては、該蓋体２４の縁部に固定されるシール（図示せず）が、ピボット構造３３の近傍及び外側で、容器本体１１のリム１５の上面６４に当接する。このシールは、蓋体２４の周囲の周りに延びるチャンネル内に収容するか、あるいはこのシールはさもなければ蓋体に固定することができる。シールは選択的に上面６４に固定してもよい。
【００５１】
図９から分かるように、容器本体１１内に収容された先鋭物及び廃棄物とのトレー部分１８の係合は、容器が満杯であることの指示を与えている。容器１０がその容量に達するときには、トレー部分１８はガード部材３５の底縁部５４を越えて枢回できなくなり、このトレー内に置かれた如何なる先鋭物体も容器本体の保管部に入らない。その後、処理設備への運搬のため、容器１０を閉じてロックすることができるので、どんな面倒ももたらさない。
【００５２】
また、上述した構造は、容器本体１１が実質的に満杯であるときに、廃棄のためトレー１６上に置かれた先鋭物体がトレー１６の後側縁部２３とガード部材３５の底縁部５４との間に普通詰まるようになり、これが静止位置へ戻るトレー１６の枢回を防止するという安全上の更なる利点を提供する。したがって、トレー１６は、先鋭物及び廃棄物をその上に置くためにもはや利用できなくなる。この特徴により容器１０の詰め過ぎが防止される。
【００５３】
容器１０内の先鋭物及び廃棄物のレベルを観察できるように、容器本体１１は窓７０（図１参照）を含んでいることが好ましい。窓７０は容器本体が満杯であることを指示するマークを有していてよい。
【００５４】
また、容器１０は、満杯の容器を廃棄設備に運搬する際の偶発事故に対する付加的な安全を提供するため、容器本体１１のリム１５と蓋体２４との間で作動する追加のラッチ（図示せず）を含むことができる。このラッチは、蓋体２４及び容器本体１１の前部中央に配置可能で、もし満杯の容器１０が例えば落下しても、蓋体が偶発的に開いてしまうことに対する付加的安全をもたらす。
【００５５】
容器１０は壁に装着でき、そのための配置例の実施形態が図１１及び図１２に示されている。図１１は容器１０の背面図であり、壁装着装置５８は容器の背部中央にある。図１１のＣ−Ｃ線を通る装着装置の断面図は図１２に示されており、この図は、装着装置５８により画成されるチャンネル５９が容器１０の背面６０から装着装置５８のベース６１まで延びていることを示している。チャンネル５９は、図１３に示すような装着ブラケット６２の直立部６３を受けるために設けられている。この図は、壁６４に任意の適当な方法で固定されるブラケット６２を断面で示している。チャンネル５９の側部のアリ溝形状はブラケット６２による容器１０の確実な支持を容易にしている。何故なら、ブラケットの直立部６３をチャンネル５９のアリ溝形状の側部内に確り嵌合するようにし得るからである。
【００５６】
本発明による容器は、任意の適当な材料から、あるいは材料の組合せから製造しうるが、好ましいのは、プラスチック材料から製造することである。あるいは、金属材料を用いても、プラスチック材料と金属材料の組合せを用いてもよい。容器の製造は、射出成形，回転プラスチック成形，あるいはプラスチック組立てのような任意の適当な方法によって行うことができる。金属製構成要素を例えばプレス加工したり、打抜き加工したりすることができる。材料や製造プロセスは、当業者の知識の範囲内で選択される。明らかに、再使用可能な容器にとっては、製造材料及び製造方法は、その再使用や、衛生的にしたりあるいは滅菌したりする要件に適合しなければならない。
【００５７】
ここに記載した本発明は、特別に説明したもの以外に、種々の変更、変形及び／又は追加が可能であり、本発明は、以下の請求の範囲に入る全てのかかる変更、変形及び／又はを含むものであると理解されたい。
【図１】
0004263849.tif 000002
【図２】
0004263849.tif 000003
【図３】
0004263849.tif 000004
【図４】
0004263849.tif 000005
【図５】
0004263849.tif 000006
【図６】
0004263849.tif 000007
【図７】
0004263849.tif 000008
【図８】
0004263849.tif 000009
【図９】
0004263849.tif 000010
【図１０】
0004263849.tif 000011
【図１１】
0004263849.tif 000012
【図１２】
0004263849.tif 000013
【図１３】
0004263849.tif 000014